(57)【特許請求の範囲】
【請求項１】
給水設備あるいは排水設備の接続部における漏水を受け止める、漏水受け具であって、
第１の開口部および第１の受け部を有した第１の容器部と、第２の開口部および第２の受け部を有した第２の容器部とを有する受け具本体を備え、
前記第１の容器部と前記第２の容器部とは、前記第１の開口部と前記第２の開口部の開口方向が互いに交差し、かつ、前記第１の受け部と前記第２の受け部とが繋がるように一体的に形成され、また、
前記第１の容器部には、前記第１の開口部の開口方向に向かって貫通するように開孔して前記給水設備あるいは排水設備の配管が挿通される挿通孔を備えた、取付部が設けられていることを特徴とする、漏水受け具。
【請求項２】
前記受け具本体は、その縦断面がほぼＬ形の形状となっており、前記第１の容器部の第１の開口部の開口方向と、前記第２の容器部の第２の開口部の開口方向とが、ほぼ直交していることを特徴とする、請求項１に記載の漏水受け具。
【請求項３】
前記取付部は、前記配管が、前記第１の容器部の側方からその内側方向に進入し得る凹部を備えており、この凹部の一部が前記挿通孔を構成し、かつ、前記取付部には、前記挿通孔に前記配管が挿通された状態で、前記凹部の、前記給水設備あるいは排水設備の接続部側の開口を覆うことができる覆い部を備えた、蓋体が取り付けられることを特徴とする、請求項1または２に記載の漏水受け具。
【請求項４】
前記覆い部には、その覆い部の表面を伝って漏水が外部に流出するのを防ぐ仕切り部が設けられていることを特徴とする、請求項３に記載の漏水受け具。
【請求項５】
前記第１の容器部の第１の受け部と、前記第２の容器部の第２の受け部とが繋がる、連繋受け部部分あるいはその近辺部分には、前記受け具本体で受け止めた漏水を外部に排出するための排水孔を備える、ホース接続部が設けられていることを特徴とする、請求項１ないし４のいずれか1項に記載の漏水受け具。
【請求項６】
前記ホース接続部は、前記排水孔に連通し、前記受け具本体の裏面側に延出形成された連通路部を備えるとともに、その連通路部の先端側は、切除可能な閉塞部によって閉塞されていることを特徴とする、請求項５に記載の漏水受け具。
【請求項７】
前記取付部には、パッキンが装備され、そのパッキンを介して、前記挿通孔に前記給水設備あるいは排水設備の配管が挿通されることを特徴とする、請求項１ないし６のいずれか１項に記載の漏水受け具。
【請求項８】
前記蓋体は、本体部とその本体部の上部に設けられた覆い部とを備えており、前記蓋体が前記取付部に取り付けられることにより、前記配管に嵌め込まれたパッキンは、前記本体部によって押されるようにして、前記取付部内に装備されることを特徴とする、請求項３または４に記載の漏水受け具。
【請求項９】
前記覆い部には、前記配管が、前方からその内側方向に進入し得る凹所が形成されていることを特徴とする、請求項８に記載の漏水受け具。
【請求項１０】
前記パッキンは、貫通孔が形成された弾性体からなり、その周側部には、前記貫通孔に到達する切込みが設けられていて、その切込みは、前記給水設備あるいは排水設備の配管の外径よりも大きく開くように拡開可能であって、その切込みを通して、前記貫通孔の内周面が前記配管の外周面に密接するように、前記配管に嵌め込まれることを特徴とする、請求項８または９に記載の漏水受け具。
【発明の詳細な説明】
【技術分野】
【０００１】
この発明は、給水設備あるいは排水設備の接続部における漏水を受け止める、漏水受け具に関するものである。
【背景技術】
【０００２】
従来、給水設備あるいは排水設備の接続部での漏水を受け止める漏水受け具としては、例えば、特許文献１に示される漏水受け具があった。この漏水受け具は、上方に開口する開口部を有する受水容器と、その受水容器を上下方向に延びる配管に取り付けるための第１の取付部および前記受水容器を上下方向と交差する方向に延びる配管に取り付けるための第２の取付部を備える取付手段とを備えていた。そして、上下方向に延びる配管に対しては、第１の取付部を選択し、上下方向と交差する方向に延びる配管に対しては、第２の取付部を選択することで、受水容器は、上下方向あるいはその方向と交差する方向に延びる配管のいずれに対しても、前記接続部の下方に位置するように取り付けることができた。これにより、前記接続部からの漏れ落ちる漏水を受け止めることができた。
【特許文献１】特開２００５−２５６４２８号公報（図１）
【発明の開示】
【発明が解決しようとする課題】
【０００３】
しかしながら、前記従来の漏水受け具においては、第１の取付部および第２の取付部の構造上の理由により、受水容器を前記配管の全周を囲うように取り付けることができなかった。したがって、特に上下方向に延びる配管に取り付けた際には、前記接続部で発生し、配管をつたって流れ落ちる漏水を受け止めることができなかった。もし、配管をつたって流れ落ちる漏水を受け止めたいならば、受水容器とは別体に形成される集水器を用意しなければならず、構造が複雑となって高価なものになっていた。
【０００４】
この発明は、上記した従来の欠点を解決するためになされたものであり、その目的とするところは、上下方向に延びる配管やその方向と交差する方向に延びる配管といった、異なった方向に延びる配管のいずれに対しても取り付けることができ、また、給水設備あるいは排水設備の接続部から漏れ落ちる漏水だけでなく、その接続部で発生して、配管をつたって流れる漏水についても受け止めることができる、漏水受け具を提供することにある。
【課題を解決するための手段】
【０００５】
この発明に係る漏水受け具は、前記目的を達成するために、次の構成からなる。すなわち、
請求項１に記載の発明に係る漏水受け具は、給水設備あるいは排水設備の接続部における漏水を受け止めるものであって、第１の開口部および第１の受け部を有した第１の容器部と、第２の開口部および第２の受け部を有した第２の容器部とを有する受け具本体を備える。ここで、前記第１の容器部と前記第２の容器部とは、前記第１の開口部と前記第２の開口部の開口方向が互いに交差し、かつ、前記第１の受け部と前記第２の受け部とが繋がるように一体的に形成され、また、前記第１の容器部には、前記第１の開口部の開口方向に向かって貫通するように開孔して前記給水設備あるいは排水設備の配管が挿通される挿通孔を備えた、取付部が設けられていることを特徴とする。これによれば、第１の容器部に設けられた取付部の挿通孔に、給水設備あるいは排水設備の配管を挿通させると、漏水受け具は、第１の容器部の第１の開口部が前記給水設備あるいは排水設備の配管の挿通方向に開口し、かつ、第２の容器部の第２の開口部が前記給水設備あるいは排水設備の配管の挿通方向と交差する方向に開口するように、前記給水設備あるいは排水設備の配管に取り付けられることとなる。したがって、漏水受け具を、例えば、建物の床等から立ち上がるような、上下方向に延びる配管に対しては、第１の容器部の第１の開口部が、前記給水設備あるいは排水設備の接続部の下方において、その接続部に向かって開口するように取り付けることができる。また、例えば、建物の壁等から突き出るような、上下方向と交差する方向に延びる配管に対しては、第２の容器部の第２の開口部が、前記給水設備あるいは排水設備の接続部の下方において、その接続部に向かって開口するように取り付けることができる。これにより、漏水受け具は、上下方向に延びる配管およびその方向と交差する方向に延びる配管のいずれに取り付けても、前記給水設備あるいは排水設備の接続部から漏れ落ちる漏水を受け止めることができる。また、漏水受け具は、給水設備あるいは排水設備の配管に、その配管の全周を囲むように取り付けられるので、前記接続部で発生し、前記配管をつたって流れる漏水をも受け止めることができる。
【０００６】
また、請求項２に記載の発明に係る漏水受け具のように、請求項１に記載の漏水受け具において、前記受け具本体は、その縦断面がほぼＬ形の形状となっており、前記第１の容器部の第１の開口部の開口方向と、前記第２の容器部の第２の開口部の開口方向とが、ほぼ直交していてもよい。一般に、給水設備あるいは排水設備の配管は、床から立ち上がって鉛直方向に延びるように配設されたり、壁から突き出て水平方向に延びるように配設されたりすることが多いが、請求項２に記載の漏水受け具によれば、鉛直方向あるいは水平方向のいずれの方向に延びる配管に対しても取り付けることができる。
【０００７】
また、請求項３に記載の発明に係る漏水受け具のように、請求項１または２に記載の漏水受け具において、前記取付部は、前記配管が、前記第１の容器部の側方からその内側方向に進入し得る凹部を備えており、この凹部の一部が前記挿通孔を構成し、かつ、前記取付部には、前記挿通孔に前記配管が挿通された状態で、前記凹部の、前記給水設備あるいは排水設備の接続部側の開口を覆うことができる覆い部を備えた、蓋体が取り付けられるのが好ましい。こうして、第１の容器部の側方からその内側方向に、給水設備あるいは排水設備の配管を凹部に進入させることで、挿通孔に、前記配管を挿通させることができる。このため、前記配管を給水設備あるいは排水設備の接続部から取り外すことなく、その配管に漏水受け具を取付けることができる。そして、蓋体を取付部に取り付けることにより、その蓋体の覆い部によって、前記挿通孔に前記配管が挿通された状態で、前記凹部の、前記給水設備あるいは排水設備の接続部側の開口を覆うことができるので、受け止めた漏水が、前記凹部を通じて、漏水受け具外に漏れ出るようなことはない。
【０００８】
また、請求項４に記載の発明に係る漏水受け具のように、請求項３に記載の漏水受け具において、前記覆い部には、その覆い部の表面を伝って漏水が外部に流出するのを防ぐ仕切り部が設けられているのが望ましい。こうして、覆い部の表面を伝って流れる漏水が、漏水受け具外に流出するのを確実に防ぐことができる。
【０００９】
また、請求項５に記載の発明に係る漏水受け具のように、請求項１ないし４のいずれか1項に記載の漏水受け具において、前記第１の容器部の第１の受け部と、前記第２の容器部の第２の受け部とが繋がる、連繋受け部部分あるいはその近辺部分には、前記受け具本体によって受け止めた前記漏水を外部に排出するための排水孔を備える、ホース接続部が設けられていてもよい。これによれば、ホース接続部に排水ホースを接続すると、受け具本体によって受け止めた漏水は、排水ホースを通って外部に排出される。ここで、ホース接続部は、連繋受け部部分あるいはその近辺部分に設けられているので、漏水が第１の容器部によって受け止められる場合、すなわち、受け具本体が上下方向に延びる配管に取り付けられる場合、および、漏水が第２の容器部によって受け止められる場合、すなわち、受け具本体が上下方向と交差する方向に延びる配管に取り付けられる場合のいずれの場合においても、漏水を外部に排出することができる。
【００１０】
また、請求項６に記載の発明に係る漏水受け具のように、請求項５に記載の漏水受け具において、前記ホース接続部は、前記排水孔に連通し、前記受け具本体の裏面側に延出形成された連通路部を備えるとともに、その連通路部の先端側は、切除可能な閉塞部によって閉塞されているのが好ましい。これによれば、ホース接続部の閉塞部を切除し、そのホース接続部に排水ホースを接続すると、受け具本体によって受け止めた漏水は、排水ホースを通って外部に排出される。ところで、閉塞部を切除しなければ、受け具本体によって受け止めた漏水は、外部に排出されることなく、受け具本体に溜められる。このように、状況に応じて、排水ホースを使用したりあるいは使用しなかったりすることができる。
【００１１】
また、請求項７に記載の発明に係る漏水受け具のように、請求項１ないし６のいずれか１項に記載の漏水受け具において、前記取付部には、パッキンが装備され、そのパッキンを介して、前記挿通孔に前記給水設備あるいは排水設備の配管が挿通されてもよい。これによれば、内径の異なるパッキンを複数用意しておくことで、受け具本体を、外径の異なる配管にも共通して取り付けることができる。
【００１２】
請求項８に記載の発明に係る漏水受け具のように、請求項３または４に記載の漏水受け具において、前記蓋体は、本体部とその本体部の上部に設けられた覆い部とを備えており、前記蓋体が前記取付部に取り付けられることにより、前記配管に嵌め込まれたパッキンは、前記本体部の前壁によって押されるようにして、前記取付部内に装備されてもよい。
【００１３】
また、請求項９に記載の発明に係る漏水受け具のように、請求項８に記載の漏水受け具において、前記覆い部には、前記配管が、前方からその内側方向に進入し得る凹所が形成されてもよい。
【００１４】
また、請求項１０に記載の発明に係る漏水受け具のように、請求項８または９に記載の漏水受け具において、前記パッキンは、貫通孔が形成された弾性体からなり、その周側部には、前記貫通孔に到達する切込みが設けられていて、その切込みは、前記給水設備あるいは排水設備の配管の外径よりも大きく開くように拡開可能であって、その切込みを通して、前記貫通孔の内周面が前記配管の外周面に密接するように、前記配管に嵌め込まれるようになっていてもよい。これにより、配管を給水設備あるいは排水設備の接続部から取り外すことなく、その配管にパッキンを嵌め込むことができる。
【発明の効果】
【００１５】
以上、詳述したことから明らかなように、この発明に係る漏水受け具によれば、上下方向に延びる配管およびその方向と交差する方向に延びる配管のいずれに対しても、すなわち、異なった方向に延びる配管のいずれに対しても取り付けることができる。また、漏水受け具は、給水設備あるいは排水設備の配管に、その配管の全周を囲むように取り付けられるので、給水設備あるいは排水設備の接続部から漏れ落ちる漏水だけでなく、前記接続部で発生し、前記配管をつたって流れる漏水をも受け止めることができる。
【発明を実施するための最良の形態】
【００１６】
以下、この発明に係る漏水受け具を実施するための最良の形態を、図面に基づいて説明する。
【００１７】
図１から図５は、本発明に係る漏水受け具を、洗面台あるいは流し台等のキャビネットＣの内部に配設される給水設備の接続部に使用した、第１の実施の形態を示す。図中符号１は、給水設備あるいは排水設備の配管としての、例えば、金属製からなる給水本管である。この給水本管１は、給水源につながっているとともに前記キャビネットＣ内にて上下方向に延びており、図示実施の形態においては、床面２から上方にまっすぐに立ち上がるように、すなわち、鉛直方向に延びるように配設され、その一端は、止水栓３（詳しくは、水の進路方向を変更しないストレート形の止水栓）に接続されている。４は、湯水混合水栓等の水栓装置Ｗにつながれた給水ホースである。５は、止水栓３と給水ホース４とをつなぐ継手であって、一方の端部が止水栓３に接続され、他方の端部が給水ホース４に接続されている。これら止水栓３、給水ホース４および継手５は、それぞれ給水設備の一部を構成している。６は、給水設備の接続部Ｊでの漏水を受け止める漏水受け具である。ここで、給水設備の接続部Ｊとは、図示実施の形態においては、給水本管１と止水栓３との接続部Ｊ１、止水栓３と継手５との接続部Ｊ２、継手５と給水ホース４との接続部Ｊ３、および、止水栓３の本体部３ａとハンドル部３ｂとの接続部Ｊ４を意味している。
【００１８】
漏水受け具６は、受け具本体７と、その受け具本体７の後述する取付部１０に装備されるパッキン１２とを備える。受け具本体７は、第１の開口部８ｋおよび第１の受け部８ａを有した第１の容器部８と、第２の開口部９ｋおよび第２の受け部９ａを有した第２の容器部９とを有する。ここで、第１の容器部８と第２の容器部９とは、前記第１の開口部８ｋと前記第２の開口部９ｋの開口方向が互いに交差し、かつ、第１の受け部８ａと第２の受け部９ａとが連続的に繋がるように一体的に形成されている。
【００１９】
図示実施の形態においては、受け具本体７は、その縦断面がほぼＬ形の形状となっており、前記第１の容器部８の第１の開口部８ｋの開口方向と、前記第２の容器部９の第２の開口部９ｋの開口方向とが、ほぼ直交するように、一体的に形成されている。そして、一方の容器部である第１の容器部８が、他方の容器部である第２の容器部９に比して長く延びて大きくなっており、その開口面積が大となっているが、もちろん、両者は、同一の大きさで、その開口面積が同じであっても構わない。詳しくは、受け具本体７は、例えば、合成樹脂製、好ましくは、半透明あるいは透明な合成樹脂製であって、前記第１の容器部８の第１の受け部８ａとなる、平面視略矩形形状の底壁部７ａと、前記第２の容器部９の第２の受け部９ａとなる、前記底壁部７ａの一端から上方に立ち上がる、正面視略矩形形状の立壁部７ｂ（図示実施の形態においては、底壁部７ａと立壁部７ｂ、すなわち、第１の受け部８ａと第２の受け部９ａとは、縦断面ほぼＬ字形状を呈するように繋がっている。）と、前記底壁部７ａの、前記一端を除く周縁部から上方に、前記立壁部７ｂよりも低く立ち上がる第１の周壁部７ｃと、前記立壁部７ｂの周縁部から側方（図示実施の形態においては、左方）に向かって延びる第２の周壁部７ｄとを有する。ここで、前記底壁部７ａと前記第１の周壁部７ｃとが、前記第１の容器部８を構成しており、この第１の容器部８は、上方に開口する第１の開口部８ｋを有することとなる。また、前記立壁部７ｂと前記第２の周壁部７ｄとが前記第２の容器部９を構成しており、この第２の容器部９は、側方（左方）に開口する第２の開口部９ｋを有することとなる。
【００２０】
そして、前記第１の容器部８には、詳しくは、その第１の受け部８ａには、前記第１の開口部８ｋの開口方向に向かって貫通するように開孔して、給水設備あるいは排水設備の配管としての前記給水本管１が挿通される、挿通孔１０ｈを備えた、取付部１０が設けられている。この取付部１０には、後述するパッキン１２が着脱自在に装着されるように装備され、そのパッキン１２を介して、前記挿通孔１０ｈに、前記給水本管１が挿通されるものである。具体的には、取付部１０は、前記第１の受け部８ａ（受け具本体７の底壁部７ａ）の中央近辺から上下に突き出るように、円筒状に突設され、その内側に、上下方向に貫通する、前記挿通孔１０ｈが形成されている。また、取付部１０の下部部分には、前記パッキン１２の後述する係合部としての係合突起１２ａ、１２ａが嵌り込むように係合する、被係合部としての係合孔１０ａが、周方向に１８０度ずれて２つ、貫通形成されている。
【００２１】
また、受け具本体７には、その受け具本体７によって受け止めた漏水を外部に排出するための排水孔１１ｈを備える、ホース接続部１１が設けられている。図示実施の形態においては、ホース接続部１１は、前記第１の容器部の第１の受け部８ａ（受け具本体７の底壁部７ａ）と、前記第２の容器部９の第２の受け部９ａ（受け具本体７の立壁部７ｂ）とが繋がる、連繋受け部部分７ｅに設けられている。具体的には、ホース接続部１１は、前記連繋受け部部分７ｅに貫通形成される排水孔１１ｈと、その排水孔１１ｈの周縁部から受け具本体７の裏面側（図示実施の形態においては、裏面側斜め下方）に延出形成されて、前記排水孔１１ｈに連通する、円筒形状の連通路部１１ａを備えており、その連通路部１１ａの先端側は、切除可能な閉塞部１１ｂによって閉塞されている。この閉塞部１１ｂは、前記連通路部１１ａの先端から、先がすぼむように延出形成されているとともに、薄肉状に形成されていて、鋏、ナイフなどの一般利器によって容易に切断可能となっている。また、前記閉塞部１１ｂに隣接するように、連通路部１１ａの先端部の外周面には、外方に突出して径大となった、突起部１１ｃが形成されている。
【００２２】
パッキン１２は、前記第１の容器部８に設けられた取付部１０に着脱自在に装着されるように装備されるものであり、貫通孔を備えた、例えば合成ゴム等の弾性体からなり、前記取付部１０に備わる挿通孔１０ｈの径とほぼ同一の外径を有するとともに、前記給水本管１の外径とほぼ同一の内径を有した筒状を呈している。また、パッキン１２の下部部分の外周面には、外方に突出する係合部としての係合突起１２ａが、周方向に１８０度ずれて２つ設けられている。
【００２３】
次に、以上の構成からなる漏水受け具６の作用効果について説明する。まず、この漏水受け具６の取付方法について説明する。最初に、取付部１０の挿通孔１０ｈ内にパッキン１２を挿入するとともに、パッキン１２の係合突起１２ａ、１２ａを取付部１０の係合孔１０ａ、１０ａに係合させるようにして、パッキン１２を受け具本体７に装着する。そして、給水本管１と止水栓３とが接続されていない状態で、取付部１０の挿通孔１０ｈに、給水本管１を挿通させる（図示実施の形態においては、給水本管１をパッキン１２の内側に圧入するようにして、給水本管１を、パッキン１２を介して、取付部１０の挿通孔１０ｈに挿通させる）。その後、給水本管１の上端に止水栓３を接続する。
【００２４】
このように、取付部１０の挿通孔１０ｈに、給水本管１を挿通させると、その挿通孔１０ｈが第１の開口部８ｋの開口方向に向かって貫通するように開孔しているので、漏水受け具６は、第１の容器部８の第１の開口部８ｋが給水本管１の挿通方向に開口し、第２の容器部９の第２の開口部９ｋが給水本管１の挿通方向と交差する方向に開口するように、前記給水本管１に取り付けられることとなる。図示実施の形態においては、給水本管１は、鉛直方向に延びているので、漏水受け具６は、第１の容器部８の第１の開口部８ｋが、前記給水設備あるいは排水設備の接続部Ｊ（Ｊ１〜Ｊ４）の下方において、上方に向かって、すなわち、前記接続部Ｊ（Ｊ１〜Ｊ４）に向かって開口するように、前記給水本管１に取り付けられる。また、漏水受け具６は、その第１の容器部８が前記給水本管１の全周を囲むように取り付けられる。したがって、漏水受け具６は、第１の容器部８によって、前記接続部Ｊ（Ｊ１〜Ｊ４）から漏れ落ちる漏水、および、前記接続部Ｊ（Ｊ１〜Ｊ４）で発生し、給水本管１をつたって流れる漏水を受け止め、前記第１の容器部８内に溜めることができる。
【００２５】
また、漏水受け具６は、取付部１０に装備されるパッキン１２を介して、給水本管１に取り付けられるので、パッキン１２とは内径のみが異なる他のパッキンを用意しておけば、漏水受け具６を外径の異なる配管にも共通して取り付けることができる。
【００２６】
また、受け具本体７には、ホース接続部１１が設けられているので、図４に示すように、そのホース接続部１１に排水ホース１３を取り付けて使用することも可能である。具体的には、ホース接続部１１の閉塞部１１ｂを、鋏等によって切除し、受け具本体７の裏面側に延出形成された連通路部１１ａを排水ホース１３内に嵌め込むようにして、排水ホース１３を接続する。ここで、連通路部１１ａには、突起部１１ｃが設けられており、この突起部１１ｃが排水ホース１３に食いつくので、排水ホース１３は、確実に接続される。このように、ホース接続部１１に排水ホース１３を接続すると、第１の容器部８で受止られ、かつ、溜められた漏水は、排水孔１１ｈ、連通路部１１ａおよび排水ホース１３を介して、外部に排出される。したがって、排水ホース１３の先端を人目の付き易いところに配置することで、漏水を容易に確認することができる。
【００２７】
ところで、ホース接続部１１は、縦断面ほぼＬ字形状を呈するように繋がる、第１の容器部８の第１の受け部８ａと第２の容器部９の第２の受け部９ａの連繋受け部部分７ｅに設けられているので、後述するように、漏水受け具６が水平方向等の横方向に延びる配管（給水本管２１）に取り付けられ、第２の容器部９内に漏水が溜められる場合においても、その漏水を、排水孔１１ｈ、連通路部１１ａ、および、排水ホース１３を介して、外部に排出することができる。
【００２８】
図示実施の形態に示す漏水受け具６は、上下方向に延びる給水本管１に取り付けられるだけではなく、上下方向と交差する方向に延びる配管にも取り付けることができ、その使用例を図５に示す。
【００２９】
図５において、２１は、給水設備あるいは排水設備の配管としての、例えば、金属製からなる給水本管である。この給水本管２１は、給水源につながっているとともにキャビネットＣ内にて横方向に延びており、図示実施の形態においては、壁面２２から真横に前方に突き出るように、すなわち、鉛直方向と直交する方向である水平方向に延びるように配設されている。また、２３は、止水栓、詳しくは、水の進路方向を直角に変更するアングル形の止水栓であり、一方の端部が前記給水本管２１に接続されている。ここで、給水設備あるいは排水設備の接続部Ｊとは、給水本管２１と止水栓２３との接続部Ｊ１、止水栓２３と継手５との接続部Ｊ２、継手５と給水ホース４との接続部Ｊ３、および、止水栓２３の本体部２３ａとハンドル部２３ｂとの接続部Ｊ４を意味している。
【００３０】
漏水受け具６を前記給水本管２１に取り付けるには、まず、取付部１０の挿通孔１０ｈ内にパッキン１２を挿入するとともに、パッキン１２の係合突起１２ａ、１２ａを取付部１０の係合孔１０ａ、１０ａに係合させるようにして、パッキン１２を受け具本体７に装着する。そして、給水本管２１と止水栓２３とが接続されていない状態で、取付部１０の挿通孔１０ｈに、給水本管２１を挿通させる（図示実施の形態においては、給水本管２１をパッキン１２の内側に圧入するようにして、給水本管２１を、パッキン１２を介して、取付部１０の挿通孔１０ｈに挿通させる）。その後、給水本管２１に止水栓２３を接続する。
【００３１】
このように、取付部１０の挿通孔１０ｈに、給水本管２１を挿通させると、その挿通孔１０ｈが第１の開口部８ｋの開口方向に向かって貫通するように開孔しているので、漏水受け具６は、第１の容器部８の第１の開口部８ｋが給水本管２１の挿通方向に開口し、第２の容器部９の第２の開口部９ｋが給水本管２１の挿通方向と交差する方向（図示実施の形態においては、挿通方向と直交する方向）に開口するように、前記給水本管２１に取り付けられることとなる。図示実施の形態においては、給水本管２１は、水平方向に延びているので、漏水受け具６は、第１の容器部８の第１の開口部８ｋが、前記給水設備あるいは排水設備の接続部Ｊ（Ｊ１〜Ｊ４）の右側において、左方に向かって、すなわち、前記接続部Ｊ（Ｊ１〜Ｊ４）に向かって開口し、かつ、第２の容器部９の第２の開口部９ｋが、前記給水設備あるいは排水設備の接続部Ｊ（Ｊ１〜Ｊ４）の下方において、上方に向かって、すなわち、前記接続部Ｊ（Ｊ１〜Ｊ４）に向かって開口するように、前記給水本管２１に取り付けられる。したがって、漏水受け具６は、第２の容器部９によって、前記接続部Ｊ（Ｊ１〜Ｊ４）から漏れ落ちる漏水を受け止めることができる。また、漏水受け具６は、その第１の容器部８が前記給水本管２１の全周を囲むように取り付けられるので、第１の容器部８によって、前記接続部Ｊ（Ｊ１〜Ｊ４）で発生し、給水本管２１をつたって流れる漏水を受け止めることができる。そして、第１の容器部８で受け止められた漏水は、第１の容器部８内をつたって流れ落ち、第２の容器部９側に流れ込む。このように、漏水受け具６は、前記接続部Ｊ（Ｊ１〜Ｊ４）から漏れ落ちる漏水、および、前記接続部Ｊ（Ｊ１〜Ｊ４）で発生し、給水本管２１をつたって流れる漏水を、第２の容器部９内に溜めることができる。
【００３２】
図６から図８には、この発明に係る漏水受け具の第２の実施の形態を示す。この第２の実施の形態は、第１の実施の形態と比較して、取付部が複数設けられる点で異なるが、その他は同一であり、以下に異なる部分を主に説明する。
【００３３】
漏水受け具６は、第１の容器部８に、詳しくは、その第１の受け部８ａに、第１の開口部８ｋの開口方向に向かって貫通するように開孔して、給水設備あるいは排水設備の配管が挿通される、挿通孔１４ｈを備えた、第１の取付部１４が設けられ、第２の容器部９に、詳しくは、その第２の受け部９ａに、第２の開口部９ｋの開口方向に向かって貫通するように開孔して、給水設備あるいは排水設備の配管が挿通される、挿通孔１５ｈを備えた、第２の取付部１５が設けられている。すなわち、漏水受け具６は、第１の取付部１４および第２の取付部１５からなる、２つの取付部を備えている。第１の取付部１４は、図１から図５に示した取付部１０と同一の形状をしており、下部部分には、被係合部としての係合孔１４ａ、１４ａが貫通形成されている。第２の取付部１５も、前記取付部１０と同一の形状をしており、下部部分には、被係合部としての係合孔１５ａ、１５ａが貫通形成されている。
【００３４】
この漏水受け具６の第１の取付部１４および第２の取付部１５には、図７および図８に示すパッキン１６が着脱自在に装着されるように装備される。このパッキン１６は、例えば合成ゴム等の弾性体からなり、挿通孔１４ｈ、１５ｈの径とほぼ同一の外径を有するとともに、前述の給水本管１の外径とほぼ同一の内径を有する筒状部１６ａと、その筒状部１６ａの上端部に設けられた除去可能な蓋部１６ｂとを有する。また、筒状部１６ａの下部部分の外周面には、前記係合孔１４ａ、１４ａ（１５ａ、１５ａ）に嵌り込むように係合する係合部としての係合突起１６ｃ、１６ｃが外方に突出するように形成されている。さらに、蓋部１６ｂの上面には、つまみ部１６ｄが形成され、蓋部１６ｂの下面側には、筒状部１６ａに沿って薄肉状に切り込まれた切り離し部１６ｅが形成されている。このパッキン１６は、つまみ部１６ｃを上方に引っ張ることで、蓋部１６ｂをパッキン１６から取り去ることができる（図７（ｂ）参照）。
【００３５】
前記漏水受け具６を、図１に示すような鉛直方向に延びる給水本管１に取り付ける場合には、第１の取付部１４に、蓋部１６ｂを取り去った状態のパッキン１６（図７（ｂ）参照。）を装着し、第２の取付部１５に、蓋部１６ｂを取り去っていない状態のパッキン１６（図７（ａ）参照。）を装着するか、もしくは、その第２の取付部１５には、パッキン１６を装着しない。そして、第１の取付部１４に装着されたパッキン１６の内側に給水本管１を圧入するようにして、給水本管１をパッキン１６を介して挿通孔１４ｈに挿通させるようにすると、漏水受け具６は、第１の容器部８の第１の開口部８ｋが上方に向かって開口するように、その給水本管１に取り付けられる。したがって、接続部Ｊ（Ｊ１〜Ｊ４）から漏れる漏水を、受け止めることができる。
【００３６】
また、漏水受け具６を、図５に示すような水平方向に延びる給水本管２１に取り付ける場合には第１の取付部１４に、蓋部１６ｂを取り去っていない状態のパッキン１６（図７（ａ）参照。）を装着し、第２の取付部１５に、蓋部１６ｂを取り去った状態のパッキン１６（図７（ｂ）参照。）を装着する。そして、第２の取付部１５に装着されたパッキン１６の内側に給水本管２１を圧入するようにして、給水本管２１をパッキン１６を介して挿通孔１５ｈに挿通させるようにすると、漏水受け具６は、第１の容器部８の第１の開口部８ｋが上方に向かって開口するように、その給水本管２１に取り付けられる。このとき、第１の容器部８の第１の取付部１４の挿通孔１４ｈは、蓋部１６ｂを取り去っていない状態のパッキン１６によって塞がれているので、第１の容器部８によって、接続部Ｊ（Ｊ１〜Ｊ４）から漏れる漏水を、受け止めることができる。もちろん、第１の取付部１４側の挿通孔１４ｈに、蓋部１６ｂを取り去った状態のパッキン１６を介して、水平方向に延びる給水本管２１を挿通させるようにしても構わない。この場合、第２の取付部１５には、蓋部１６ｂを取り去っていない状態のパッキン１６が装着される。
【００３７】
取付部１０、および、パッキン１２の態様は、第１の実施の形態に示すものに限定されない。図９には、取付部１０、および、パッキン１２の第１の変形例を示す。取付部１０は、第１の容器部８の第１の受け部８ａの中央近辺から下方に突き出る円筒状部１０ｂと、その円筒状部１０ｂの下端から下方に延びるように、周方向に１８０度ずれて２つ設けられる爪部１０ｃ、１０ｃとからなっている。これら爪部１０ｃ、１０ｃの内側面には、被係合部としての凹部１０ｄ、１０ｄが設けられている。一方、パッキン１２の下部部分の外周面には、その全周にわたって外方に突き出る係合部としての突部１２ｂが設けられている。そして、このパッキン１２を、取付部１０の下方から挿通孔１０ｈ内に挿入すると、前記爪部１０ｃ、１０ｃの凹部１０ｄ、１０ｄにパッキン１２の突部１２ｂが係合して、パッキン１２は、取付部１０に装着される。
【００３８】
図１０には、取付部１０およびパッキン１２の第２の変形例を示す。この変形例においては、取付部１０は、第１の容器部８の第１の受け部８ａに貫通形成された挿通孔１０ｈのみからなっている。また、パッキン１２の上部部分の外周面には、その全周にわたって窪む溝部１２ｃが設けられている。そして、このパッキン１２を挿通孔１０ｈに挿入するようにすると、挿通孔１０ｈの周縁部１０ｉと、パッキン１２の溝部１２ｃとが係合し、パッキン１２は、取付部１０に装着される。
【００３９】
図１１には、取付部１０およびパッキン１２の第３の変形例を示す。この変形例においては、取付部１０は、第１の容器部８の第１の受け部８ａから下方に突き出るとともに外周面に雄ネジ部１０ｆが設けられた、円筒状のオス部１０ｋと、内周面に前記雄ネジ部１０ｆと螺合する雌ネジ部１０ｇが設けられた、筒状もしくは環状のメス部１０ｍとからなる。また、オス部１０ｋの上端部の内側面には、内方に突き出る上部鍔部１０ｎが設けられ、メス部１０ｍの下端部の内側面には、内方に突き出る下部鍔部１０ｐが設けられている。一方、パッキン１２は、外径が挿通孔１０ｈの径とほぼ同一で、内径が前記挿通孔１０ｈに挿通される配管（例えば、給水本管１）の外径より若干大きく形成されている。そして、このパッキン１２をオス部１０ｋの挿通孔１０ｈに挿入し、メス部１０ｍをオス部１０ｋにねじ込むと、パッキン１２は、上部鍔部１０ｎと下部鍔部１０ｐとの間に保持されるようにして、取付部１０に装着される。そして、さらにメス部１０ｍをオス部１０ｋにねじ込んでいくと、パッキン１２は、上部鍔部１０ｎと下部鍔部１０ｐとによって上下方向に押圧されて、内径を小さくするように弾性変形する。したがって、パッキン１２の内側に前記配管を挿通させた後、メス部１０ｍをオス部１０ｋに対してどんどんねじ込んでいくことで、漏水受け具６を、前記配管に取り付けることができる。ここで、パッキン１２の内径が、前記配管の外径より若干大きいので、その配管を前記パッキン１２の内側に容易に挿通できる。
【００４０】
図１２から図１８は、この発明に係る漏水受け具の第３の実施の形態を示す。この第３の実施の形態は、第１および第２の実施の形態と比較して、給水設備あるいは排水設備の配管を、給水設備あるいは排水設備の接続部から取り外すことなく、すなわち、配管としての給水本管１（２１）と止水栓３（２３）とが接続された状態で、その給水本管１（２１）に漏水受け具６を取付けることができる点で異なる。以下、異なる部分を中心にして、この実施の形態の漏水受け具６について説明するが、同一の機能を有する部分には、第１および第２の実施の形態に示される漏水受け具６と同一の符号を図面に付す。
【００４１】
この漏水受け具６は、第１および第２の実施の形態に示される漏水受け具６と同様に、第１の開口部８ｋおよび第１の受け部８ａを有した第１の容器部８と、第２の開口部９ｋおよび第２の受け部９ａを有した第２の容器部９とを有する、例えば合成樹脂製からなる受け具本体７を備えている。前記第１の容器部８と前記第２の容器部９とは、前記第１の開口部８ｋと前記第２の開口部９ｋの開口方向が互いに交差し、かつ、前記第１の受け部８ａと前記第２の受け部９ａとが連続的に繋がるように一体的に形成されている（図示実施の形態においては、前記受け具本体７は、その縦断面がほぼＬ形の形状となっており、第１の開口部８ｋと前記第２の開口部９ｋの開口方向とが、ほぼ直交している。）。そして、前記第１の容器部８には、前記第１の開口部８ｋの開口方向に向かって貫通するように開孔して給水設備あるいは排水設備の配管（すなわち、給水本管１、２１）が挿通される挿通孔３７ｈを備えた、取付部３７が設けられている。
【００４２】
取付部３７は、給水本管１（２１）が、前記第１の容器部８の側方からその内側方向に進入し得る凹部３８を備えており、この凹部３８の一部が、前記挿通孔３７ｈを構成している。そして、前記取付部３７には、前記挿通孔３７ｈに、前記給水本管１（２１）が挿通された状態で、前記凹部３８の、給水設備あるいは排水設備の接続部Ｊ側の開口を覆うことができる覆い部３９を備えた、蓋体４０が取り付けられる。
【００４３】
詳しくは、取付部３７は、前記第１の受け部８ａのほぼ中央部において、一側方（図１５において右側方）が開放され、かつ、その開放方向と直交する方向（図１４において上下方向）に貫通して内部が中空となった、中空箱体形状の本体部を備えており、その三方の周壁３７ａ、３７ｂおよび３７ｃは、いずれも第１の容器部８の第１の周壁部７ｃの高さよりも高く形成されていて、第１の容器部８に貯留された漏水が、取付部３７の内側に流入しないようになっている。そして、凹部３８は、給水本管１（２１）の外径寸法より僅かながら大きい寸法の巾Ｌで、第１の容器部８の一側部である第１の周壁部７ｃから内側に向かって延びて、前記取付部３７に上壁３７ｄおよび下壁３７ｅを部分的に残す、長孔状となっており、その奥端は、円弧部となっている。
【００４４】
また、取付部３７の相対向する周壁３７ａと３７ｃとの間の間隔は、前記蓋体４０の取り付けなどを容易にするため、挿通孔３７ｈ側とは反対側、すなわち、凹部３８の入口側がやや広くなっており、それら両方の側の中間部付近で若干狭まるようになっている。そして、取付部３７の前記下壁３７ｅの、少なくとも周壁３７ａおよび３７ｃの下端内側に位置する部分は、取付部３７に取り付けられた蓋体４０を下方から支える支持部として機能する。また、周壁３７ａおよび３７ｃと連続するようにして、第１の容器部８の周壁部７ｃから外方に突出する、前記取付部３７の一部を構成する補足壁としての延出壁４１、４１が設けられており、これら延出壁４１、４１には、蓋体４０の本体部４８の側壁４８ｂ、４８ｂに設けられた、係合部としての係合突起４２、４２が嵌り込むように係合する、被係合部としての係合孔４２ａ、４２ａが設けられている。
【００４５】
そして、取付部３７内には、パッキン４３が装備され、そのパッキン４３を介して、挿通孔３７ｈに給水本管１（２１）が挿通される。パッキン４３は、貫通孔４４が形成された、例えば可撓性および弾性に富む合成ゴム等の弾性体からなり、前記取付部３７の上壁３７ｄと下壁３７ｅ、および、周壁３７ａ、３７ｃによって囲まれる空間内にちょうど嵌る大きさからなる。そして、このパッキン４３の周側部４５には、前記貫通孔４４に到達する切込みＧが設けられている。この切込みＧは、給水本管１（２１）の外径よりも大きく開くように拡開可能であって、その切込みＧを通して、前記貫通孔４４の内周面４６が前記給水本管１（２１）の外周面に密接するように、パッキン４３が給水本管１（２１）に嵌め込まれる。詳しくは、パッキン４３は、図１７の（ａ）および（ｂ）で示すように、取付部３７の周壁３７ａ、３７ｂおよび３７ｃの内側面にぴったり当接できるように、三方に位置する各外周面４３ａ、４３ｂおよび４３ｃは、いずれも平面によって形成されており、残りの一方に位置する、すなわち、前記外周面４３ａと４３ｃとの間に位置する外周面４３ｄは、円弧状の曲面によって形成されていて、この外周面４３ｄの中央部を縦方向に割るようにして、前記切込みＧが設けられている。そして、このパッキン４３の内周面には、シール性を高めるために、内側方向にやや突き出る突条部４７、４７が設けられている。
【００４６】
蓋体４０は、図１６の（ａ）〜（ｄ）にて明示するように、本体部４８と、本体部４８よりも前方に突き出るように、その本体部４８の上部に設けられた覆い部３９と、この覆い部３９の基端側に立設された仕切り部４９とを備える。詳しくは、この本体部４８は、前記取付部３７内にちょうど収まる大きさからなり、底壁４８ａと、この底壁４８ａの両側に立上る側壁４８ｂ、４８ｂと、曲率半径を異にするとともに上下に段差状に位置する２つの円弧面ＰおよびＱ（円弧面Ｐは、給水本管１（２１）の外周面に沿うことのできる曲率半径を有し、後述する凹所５０の円弧部と面一となる面を構成している。また、円弧面Ｑは、パッキン４３の外周面４３ｄに沿うことができる曲率半径を有している。）を形成する前壁４８ｃとを有して、その後方部が開放された箱体形状からなる。また、覆い部３９は、板状からなり、その両側部において下るように傾斜する傾斜部３９ａを備えており、かつ、その基端側には、両側方に突き出るように延びるとともに、上部ほど後方に位置するように所要の角度（図示実施の形態においては４５度）で傾斜する、板状の仕切り部４９が設けられていて、その覆い部３９の表面を伝って漏水が外部に流出するのを防ぐようになっている。また、覆い部３９には、給水本管１（２１）の外径寸法より僅かながら大きい寸法の巾Ｌで延びていて奥端が円弧部となった、長孔状の凹所５０が形成されていて、前記給水本管１（２１）が、蓋体４０の前方からその内側方向に進入し得るようになっている。そして、蓋体４０が、前記取付部３７に取り付けられることにより、前記給水本管１（２１）に嵌め込まれたパッキン４３は、その蓋体４０の前記本体部４８（詳しくは、前壁４８ｃの円弧面Ｑ）によって押されるようにして、前記取付部３７内に装備され、また、前記凹部３８の、給水設備あるいは排水設備の接続部Ｊ側（図１２においては、上方側であり、図１３においては、左方側）の開口は、覆い部３９によって覆われることとなる。なお、符号４８ｄおよび４８ｅは、本体部４８の内側に設けられた縦補強壁および横補強壁である。
【００４７】
次に、以上の構成からなる第３の実施の形態に示す漏水受け具の作用効果を、その取付方法とともに、図１８（ａ）〜（ｃ）に基づいて説明する。最初に、止水栓３と接続状態にある給水本管１に、パッキン４３を取りつける。この際、パッキン４３の切込みＧを、給水本管１の外径よりも大きく開くように拡開することにより、その拡開した切込みＧから給水本管１を通す。そして、その拡開を解除して、弾性復帰により切込みＧを閉じさせれば、パッキン４３の内周面４６は、給水本管１の外周面に密接する。このようにして、給水本管１を給水設備あるいは排水設備の接続部Ｊ(給水本管１と止水栓３との接続部Ｊ１)から取り外すことなく、その給水本管１にパッキン４３を嵌め込むことができる（図１８の（ａ）参照）。パッキン４３を嵌め込んだところで、受け具本体７を給水本管１に取り付ける。この取り付けに際しては、給水本管１を、取付部３７の凹部３８の奥側に進入させ、その給水本管１の外周面が前記凹部３８の奥端である円弧部に当接し、また、パッキン４３の外周面４３ｂが、取付部３７の周壁３７ｂの内面に当接するまで、受け具本体７を押し込む。これにより、取付部３７の挿通孔３７ｈに、給水本管１が挿通されることとなる（図１８の（ｂ）参照）。次に、凹部３８の接続部Ｊ側（上方側）の開口を覆うように、蓋体４０を取付部３７に取り付ける。すなわち、覆い部３９を取付部３７の上壁３７ｄに被せることができるように、本体部４８を取付部３７内に押し込んで、給水本管１を覆い部３９の凹所５０の奥側に進入させる。給水本管１の外周面に、前記凹所５０の円弧部と本体部４８の円弧面Ｐとが当接し、また、パッキン４３の周側部４５(詳しくは、外周面４３ｄ)に、本体部４８の円弧面Ｑが当接すると、本体部４８の係合突起４２、４２が、前記延出壁４１、４１の係合孔４２ａ、４２ａにそれぞれ嵌り込むように係合して、取付部３７への蓋体４０の取り付けが確実なものとなる（図１８の（ｃ）参照）。
【００４８】
こうして、給水本管１を給水設備あるいは排水設備の接続部Ｊ（給水本管１と止水栓３との接続部Ｊ１）から取り外すことなく、その給水本管１に漏水受け具７を取り付けることができる。そして、蓋体４０を取付部３７に取り付けることにより、その蓋体４０の覆い部３９によって、前記凹部３８の前記接続部Ｊ側の開口を覆うことができるので、受け止めた漏水が、前記凹部３８を通じて、漏水受け具７外に漏れ出るようなことはない。また、前記覆い部３９には仕切り部４９が設けられているので、覆い部３９の表面を伝って流れる漏水が、漏水受け具外に流出するのを確実に防ぐことができる。
【００４９】
そして、この実施の形態においても、漏水受け具６は、第１の容器部８の第１の開口部８ｋが、給水設備あるいは排水設備の接続部Ｊ（Ｊ１〜Ｊ４）の下方において、上方に向かって、すなわち、前記接続部Ｊ（Ｊ１〜Ｊ４）に向かって開口するように、前記給水本管１に取り付けられる（図１２参照）。また、この漏水受け具６は、その第１の容器部８が前記給水本管１の全周を囲むように取り付けられる。したがって、漏水受け具６は、第１の容器部８によって、前記接続部Ｊ（Ｊ１〜Ｊ４）から漏れ落ちる漏水、および、前記接続部Ｊ（Ｊ１〜Ｊ４）で発生し、給水本管１をつたって流れる漏水を受け止め、前記第１の容器部８内に溜めることができる。
【００５０】
また、この漏水受け具６は、第１および第２の実施の形態に示される漏水受け具と同様に、上下方向（鉛直方向）に延びる給水本管１に取り付けられるだけではなく、上下方向と交差する方向（水平方向）に延びる給水本管２１にも取り付けることができる。図１３に示すように、第１の容器部８の第１の開口部８ｋが、前記接続部Ｊ（Ｊ１〜Ｊ４）の右側において、左方に向かって、すなわち、前記接続部Ｊ（Ｊ１〜Ｊ４）に向かって開口し、かつ、第２の容器部９の第２の開口部９ｋが、前記接続部Ｊ（Ｊ１〜Ｊ４）の下方において、上方に向かって、すなわち、前記接続部Ｊ（Ｊ１〜Ｊ４）に向かって開口するように、前記給水本管２１に取り付けられる。したがって、漏水受け具６は、第２の容器部９によって、前記接続部Ｊ（Ｊ１〜Ｊ４）から漏れ落ちる漏水を受け止めることができる。また、漏水受け具６は、その第１の容器部８が前記給水本管２１の全周を囲むように取り付けられるので、第１の容器部８によって、前記接続部Ｊ（Ｊ１〜Ｊ４）で発生し、給水本管２１をつたって流れる漏水を受け止めることができる。そして、第１の容器部８で受け止められた漏水は、第１の容器部８内をつたって流れ落ち、第２の容器部９側に流れ込む。このように、この漏水受け具６は、前記接続部Ｊ（Ｊ１〜Ｊ４）から漏れ落ちる漏水、および、前記接続部Ｊ（Ｊ１〜Ｊ４）で発生し、給水本管２１をつたって流れる漏水を、第２の容器部９内に溜めることができる。
【００５１】
さらに、この漏水受け具６は、取付部１０に装備されるパッキン４３を介して、給水本管１、２１に取り付けられるので、パッキン４３とは内径のみが異なる他のパッキンを用意しておけば、この漏水受け具６を外径の異なる配管にも共通して取り付けることができる。
【００５２】
なお、本発明は、以上に述べた実施の形態に限定されるものでなく、さらに種々の変更が可能である。
【００５３】
すなわち、漏水受け具６は、洗面台あるいは流し台等のキャビネットＣの内部に配設される給水設備の接続部において限定的に使用されるものではない。また、漏水受け具６は、給水設備の接続部における漏水を受け止めるために使用されるだけでなく、排水設備の接続部における漏水を受け止めるために使用されてもよい。また、給水設備の配管は、給水本管１、２１に限定されるわけではなく、給湯本管であってもよく、そして、漏水受け具６は、この給湯本管に取り付けられるものであってもよい。
【００５４】
また、漏水受け具６は、その縦断面がＬ字形状を呈し、第１の容器部８の第１の開口部８ｋの開口方向と第２の容器部９の第２の開口部９ｋの開口方向とが、必ずしも直交している必要はなく、第１の開口部８ｋと第２の開口部９ｋの開口方向とが交差するようになっていればよい。また、第１の容器部８および第２の容器部９の形状は、図示実施の形態に示された形状に限定されるものでなく、例えば、底壁部７ａおよび立壁部７ｂは、円形形状とか楕円形状等であっても構わない。
【００５５】
また、ホース接続部１１は、連繋受け部部分７ｅに設けられる必要はなく、第１の容器部８の第１の受け部８ａと、第２の容器部９の第２の受け部９ａのそれぞれに一つずつ設けられてもよい。また、排水ホース１３を取り付ける必要がないのであれば、ホース接続部１１が省略されても構わない。
【００５６】
また、漏水受け具６に常に排水ホース１３を接続して使用するのであれば、ホース接続部１１の閉塞部１１ｂは設けられなくてもよい。また、ホース接続部１１には、連通路部１１ａが設けられる必要はない。なお、連通路部１１ａが設けられない場合には、排水孔１１ｈの内側に排水ホース１３を嵌め込むようにして取り付ければよい。また、その取付方法は、嵌め込みに限定されず、ネジ込みその他の適宜方法が採択され得る。
【００５７】
図１９および図２０は、参考例を示すものであり、上下方向（垂直方向）に延びる配管（給水本管１）のみに取り付けるのであれば、それらの図に示される通り、第２の容器部９を備えないもの、すなわち、容器部としては第１の容器部８のみを備える受け具本体５７、６７からなる漏水受け具であっても構わない。
【図面の簡単な説明】
【００５８】
【図１】この発明の第１の実施の形態の漏水受け具の使用例を示す、一部を破断した側面図である。
【図２】同じく、図１におけるＡ−Ａ線断面図である。
【図３】同じく、分解斜視図である。
【図４】この発明の第１の実施の形態の漏水受け具の他の使用例を示す、一部を破断した側面図である。
【図５】この発明の第１の実施の形態の漏水受け具のさらに他の使用例を示す、一部を破断した側面図である。
【図６】この発明の第２の実施の形態の漏水受け具の、受け具本体の斜視図である。
【図７】同じく、パッキンの斜視図であり、（ａ）は、蓋部が取り去られていない状態を示し、（ｂ）は、蓋部が取り去られた状態を示す。
【図８】同じく、パッキンの縦断面図である。
【図９】同じく、パッキンおよび取付部の変形例を示す、縦断面図である。
【図１０】同じく、パッキンおよび取付部の他の変形例を示す、縦断面図である。
【図１１】同じく、パッキンおよび取付部のさらに他の変形例を示す、縦断面図である。
【図１２】この発明の第３の実施の形態を示す、図１相当図である。
【図１３】同じく、図５相当図である。
【図１４】同じく、受け具本体の取付部内にパッキンが収められた状態を示す、一部破断側面図である。
【図１５】同じく、受け具本体の平面図である。
【図１６】同じく、蓋体を示すもので、（ａ）は、その平面図、（ｂ）は、その正面図、（ｃ）は、その右側面図、（ｄ）は、その左側面図である。
【図１７】同じく、パッキンを示すもので、（ａ）は、その平面図、（ｂ）は、前記平面図におけるＢ−Ｂ線断面図である。
【図１８】同じく、漏水受け具の取付方法を示す斜視図であり、（ａ）は、給水本管にパッキンおよび受け具本体を取り付ける状態を示し、（ｂ）は、給水本管に取り付けた受け具本体の取付部に、蓋体を取り付ける状態を示し、（ｃ）は、給水本管に対する漏水受け具の取り付けが完了した状態を示す。
【図１９】参考例としての、図１相当図である。
【図２０】その他の参考例としての、図１８（ｃ）相当図である。
【符号の説明】
【００５９】
１、２１    給水本管（配管）          ６    漏水受け具
７    受け具本体                      ８    第１の容器部
８ａ  第１の受け部                    ８ｋ  第１の開口部
９    第２の容器部                    ９ａ  第２の受け部
９ｋ  第２の開口部                    １０、１４、１５、３７  取付部
１０ｈ、１４ｈ、１５ｈ、３７ｈ  挿通孔
１１  ホース接続部                    １２、１６、４３  パッキン
３８  凹部                            ３９  覆い部
４０  蓋体                            ４４  貫通孔
４５  周側部                          ４６  内周面
４８  本体部                          ４９  仕切り部
５０  凹所                            Ｇ  切込み
【図１】
0004657973.tif 000002
【図２】
0004657973.tif 000003
【図３】
0004657973.tif 000004
【図４】
0004657973.tif 000005
【図５】
0004657973.tif 000006
【図６】
0004657973.tif 000007
【図７】
0004657973.tif 000008
【図８】
0004657973.tif 000009
【図９】
0004657973.tif 000010
【図１０】
0004657973.tif 000011
【図１１】
0004657973.tif 000012
【図１２】
0004657973.tif 000013
【図１３】
0004657973.tif 000014
【図１４】
0004657973.tif 000015
【図１５】
0004657973.tif 000016
【図１６】
0004657973.tif 000017
【図１７】
0004657973.tif 000018
【図１８】
0004657973.tif 000019
【図１９】
0004657973.tif 000020
【図２０】
0004657973.tif 000021